(57)【要約】本発明は、アンテナ装置たとえば自動車間の距離または速度を測定するためのアンテナ装置に関する。この場合、信号波を受信または送信する装置２と、この送受信装置２の下方に配置された多層の支持体５と、この支持体５において送受信装置２の対向する表面に配置されアースされた第１の電位面４と、この第１の電位面４内に配置された結合装置３と、第１の電位面４の下方においてできるかぎりその近くに配置された電気接続区間７と、この電気接続区間７の下方に配置されアースされた第２の電位面１０が設けられている。
2004516734.tif 000002
【特許請求の範囲】
【請求項１】
アンテナ装置（１）たとえば自動車間の距離または速度を求めるためのアンテナ装置において、
信号波を受信または送信する装置（２）と、
該信号波を受信または送信する装置（２）の下方に配置された多層の支持体（５）と、
該支持体（５）において前記信号波を受信または送信する装置（２）と対向する側の表面上に配置されアースされている第１の電位面（４）と、
該第１の電位面（４）内に配置された結合装置（３）と、
該第１の電位面（４）の下方でその近くに配置された電気接続区間（７）と、
該電気接続区間（７）の下方に配置されアースされている第２の電位面（１０）が設けられていることを特徴とするアンテナ装置。
【請求項２】
アンテナ装置（１）たとえば自動車間の距離または速度を求めるためのアンテナ装置において、
多層の支持体（５）と、
該支持体（５）の上側表面上に配置されアースされている第１の電位面（４）と、
該第１の電位面（４）内に配置された結合装置（３）と、
該第１の電位面（４）の下方に配置されアースされている第２の電位面（１０）と、
前記の第１の電位面（４）と第２の電位面（１０）との間で前記支持体（５）の層間に配置された電気接続区間（７）が設けられており、該電気接続区間（７）の配置により、伝達すべき電磁エネルギーの大部分が前記結合装置（３）を介して出力結合または入力結合されることを特徴とするアンテナ装置。
【請求項３】
それぞれ少なくとも１つの結合装置（３）が送受信装置（２）の下方において所定の間隔で配置されている、請求項１または２記載のアンテナ装置。
【請求項４】
前記支持体（５）の少なくとも１つの層（５１）が結合装置（３）と接続区間（７）との間に配置されている、請求項１から３のいずれか１項記載のアンテナ装置。
【請求項５】
前記支持体（５）の少なくとも１つの層（５２，５３，５４，５５）が接続区間（７）と第２の電位面（１０）との間に設けられている、請求項１から４のいずれか１項記載のアンテナ装置。
【請求項６】
結合装置（３）と接続区間（７）との間の支持体（５）の少なくとも１つの層（５１）は、接続区間（７）と第２の電位面（１０）との間の少なくとも１つの層（５２，５３，５４）よりも厚さが薄い、請求項４または５記載のアンテナ装置。
【請求項７】
結合装置（３）と接続区間（７）との間の支持体（５）の少なくとも１つの層（５１）は、接続区間（７）と第２の電位面（１０）との間の少なくとも１つの層（５２，５３，５４）の厚さの約半分または約３分の１である、請求項４から６のいずれか１項記載のアンテナ装置。
【請求項８】
前記送受信装置（２）は直角の放射面（パッチ）（２）として構成されている、請求項１から７のいずれか１項記載のアンテナ装置。
【請求項９】
前記支持体（５）の個々の層（５１，５２，５３，５４，５５）は低温で熱処理可能な誘電性セラミック（ＬＴＣＣセラミック）から成り、該熱処理により個々の層（５１，５２，５３，５４，５５）が溶融されて結合される、請求項１から８のいずれか１項記載のアンテナ装置。
【請求項１０】
前記支持体（５）の個々の層（５１，５２，５３，５４，５５）はそれぞれ約１５０μｍの厚さである、請求項１から９のいずれか１項記載のアンテナ装置。
【請求項１１】
前記送受信装置（２）は一列に配置されており、所定の間隔をおいて互いに隔てられている、請求項１から１０のいずれか１項記載のアンテナ装置。
【請求項１２】
前記結合装置（３）は結合スロット（３）として設けられている、請求項１から１１のいずれか１項記載のアンテナ装置。
【請求項１３】
前記結合スロット（３）は第１の電位面（４）のエッチングにより形成されている、請求項１２記載のアンテナ装置。
【請求項１４】
それぞれ１つの結合スロット（３）は放射面（２）の下方中央で該放射面のほぼ幅全体にわたり延在している、請求項８から１３のいずれか１項記載のアンテナ装置。
【請求項１５】
前記接続区間（７）はフィードライン（７）として、支持体平面内で結合スロット（３）に対し垂直に形成されている、請求項１２から１４のいずれか１項記載のアンテナ装置。
【請求項１６】
電磁放射に対する遮蔽部を形成するため実質的に垂直に延在するコンタクト部材（１２）が設けられている、請求項１から１５のいずれか１項記載のアンテナ装置。
【請求項１７】
前記コンタクト部材（１２）は互いに平行に配置されている、請求項１６記載のアンテナ装置。
【請求項１８】
前記コンタクト部材（１２）は互いに所定の間隔で配置されており、該間隔は遮蔽すべき放射の波長よりも短い、請求項１７記載のアンテナ装置。
【請求項１９】
前記送受信装置（２）は適切な発泡層上に取り付けられている、請求項１から１８のいずれか１項記載のアンテナ装置。
【請求項２０】
前記送受信装置（２）は装置ケーシングカバーに取り付けられている、請求項１から１９のいずれか１項記載のアンテナ装置。
【請求項２１】
前記接続区間（７）はそれぞれ少なくとも１つの接触接続装置（１３）により、前記支持体（５）の表面に配置された給電回路網（１４）と電気的に接続されている、請求項１から２０のいずれか１項記載のアンテナ装置。
【請求項２２】
前記の送受信装置（２）、電位面（４，１０）、接続区間（７）、コンタクト部材（１２）および接触接続装置（１３）は導電材料から成り、たとえば金、銀、銅またはアルミニウムから成る、請求項１から２１のいずれか１項記載のアンテナ装置。
【請求項２３】
前記の接続区間および／または接触接続装置はマイクロストリップ技術および／またはコプレーナ技術によって形成されている、請求項１から２２のいずれか１項記載のアンテナ装置。
【請求項２４】
前記結合スロット（３）は任意の形状で形成可能であり、たとえば直線状、Ｈ字状、Ｕ字状として形成可能である、請求項１２から２３のいずれか１項記載のアンテナ装置。
【発明の詳細な説明】
【０００１】
従来の技術
本発明はアンテナ装置たとえば自動車間の距離または速度を求めるためのスロット結合アンテナ装置に関する。
【０００２】
本発明はアンテナ分野の任意の適用領域で利用できるけれども、本発明ならびに本発明の基礎とする問題点について自動車間の距離または速度を求めるための車載アンテナ装置を引き合いに出して説明する。
【０００３】
レーダ（マイクロ波）たとえば短距離レーダを用いて距離と速度を測定するシステムはすでに知られている。このため従来は殊に放射面アンテナ装置（パッチアンテナ）が用いられており、この場合、放射面（パッチ）は基板材料上にじかにまたは発泡材料を介して取り付けられている。放射面はアンテナ側でフィードラインまたは結合スロットにより励起される。この場合、フィードラインをたいていは異なる別の材料に取り付けることができ、その際に個々のレイヤもしくは層を互いに上下に接続する必要がある。しかしながらこのようなアンテナ装置の欠点は、個々の材料層の相対的な調整および精密な位置決めが非常に複雑となり実施が困難なことである。
【０００４】
さらに本出願人の知っているアンテナ装置はいわゆるトリプレート（ｔｒｉｐｌａｔｅ）技術によって製造されており、このアンテナ装置の場合には２つの金属化部の間に電気接続区間が配置されている。この種のアンテナ装置はたとえば、孔の開けられた個々の金属プレートとアンテナパターンもしくはフィードラインを備えたシートと発泡中間層とから成る。個々の層はたとえばねじ留めによりまとめられ、すべって位置がずれないよう保護されている。相当に複雑な構成ならびにそのために必要とされる煩雑な製造プロセスゆえに、この種のアンテナ装置は非常にコストがかかる。
【０００５】
さらに本出願人の知っているアンテナ装置は、たとえばＦＲ４基板から成る積層被着されたプリント配線板上に取り付けられている。このプリント配線板の上にいわゆるソフトボードが積層され、このソフトボードの一方の面に結合スロットが設けられている。この場合、ＦＲ４基板から面が削り取られ、この削り取られた面に発泡材料がはめ込まれ、金属製の放射面ないしはパッチがたとえばフィルムによってその上に取り付けられる。このようなアプローチの欠点は煩雑な製造方法が必要なことであり、それというのも孔を削りだして発泡材料を組み込まなければならないからである。
【０００６】
これに加えてすべての公知の装置においてたとえばプロセッサクロック、コンポーネントからの放射などによって有効周波数外で妨害放射が発生し、それらを阻止するのは非常に困難である。しかもたとえばフィードラインによって電磁的な有効放射のかなりの割合が望ましくない方向たとえば自動車のシャーシまたはエンジンの方向へ放射され、それによって不利なことにそこに存在する部品に影響が及ぼされるおそれがある。
【０００７】
したがって本発明の課題は概略的にいえば、コンパクトな構造をもちかつ望ましくない方向への電磁放射を減少させるようにしたアンテナ装置を提供することにある。
【０００８】
発明の利点
公知の試みに対し請求項１または請求項２の特徴部分に記載の構成を備えた本発明によるアンテナ装置のもつ利点は、製造プロセスが簡単になり、いっそうコンパクトなセンサが得られ、望ましくない放射方向での電磁エネルギーもしくは電磁波が良好に遮蔽されることにある。
【０００９】
第１の電位面と第２の電位面との間の多層の支持体内部で第１の電位面の下方においてできるかぎりその近くに電気接続区間を適切に配置することにより、コンパクトかつ簡単に製造可能なアンテナ装置が得られる。第１の電位面下方においてできるかぎりその近くに接続区間を適切に配置することにより、電磁放射の大部分が接続区間を介して結合装置を通って強制的に上方に向かうようになり、その際、下方に向かって第２の電位面の方向で同じ配置により遮蔽が行われ、したがってアンテナ装置下方では僅かな放射しか発生しない。
【００１０】
従属請求項には請求項１または２記載のアンテナ装置の有利な実施形態が示されている。
【００１１】
１つの有利な実施形態によれば、それぞれ少なくとも１つの結合装置が送受信装置の下方において所定の間隔で配置されている。
【００１２】
１つの有利な実施形態によれば、結合装置と接続区間との間に支持体の少なくとも１つの層が配置されている。
【００１３】
別の有利な実施形態によれば、接続区間と第２の電位面との間に支持体の少なくとも１つの層が設けられている。
【００１４】
さらに別の有利な実施形態によれば、結合装置と接続区間との間の支持体の少なくとも１つの層は、接続区間と第２の電位面との間の少なくとも１つの層よりも厚さが薄い。有利には、結合装置と接続区間との間の誘電性支持体の少なくとも１つの層は、接続区間であるフィードラインと第２の電位面であるアース面との間の少なくとも１つの層の厚さの約半分または３分の１である。製造技術的に有利な層は約１５０μｍの厚さで製造され、この寸法は装置の共振特性に好適に作用するので、支持体をこのような厚さをもつ個々の層から製造することができる。しかし層厚および個々の層の個数はこれに限定されるものではなく、多種多様に変形可能である。
【００１５】
別の有利な実施形態によれば、送信および／または受信装置は直角の放射面（パッチ）として構成されている。これらのパッチによって、簡単かつ有利に製造可能な共振器が形成される。
【００１６】
さらに別の有利な実施形態によれば、多層の誘電性支持体は低温セラミック（ＬＴＣＣ）である。このセラミックは高い誘電率を有しており、ただ１つの材料系から成るコンパクトなセンサが形成される。しかもＬＴＣＣはシリコンの膨張に整合されており、すでに低温（約９００°Ｃ）で複数の層をその上の相応の構造とともに熱処理して、コンパクトに焼結させることができる。
【００１７】
別の有利な実施形態によれば、放射面は一列に互いに所定の間隔をおいて隔てられている。適切な配置によって、望ましい指向性もしくは放射方向や放射出力等を達成することができる。
【００１８】
別の有利な実施形態によれば、結合装置は結合スロットとして構成されている。結合スロットは放射面を電磁的に励起するために用いられる。結合スロットは有利には第１のアース面のエッチングにより形成され、それぞれ放射面の下方で中央に配置されている。その際、結合スロットはそれぞれ放射面のほぼ幅全体にわたり延在している。相応のアースの設計を望ましい共振特性に整合させることができる。
【００１９】
別の有利な実施形態によれば、フィードラインは支持体平面において結合スロットに対し垂直に形成されている。とはいえ結合装置を異なる支持体平面の間にも配置することもでき、それによって上下間の妨害が低減される。
【００２０】
別の有利な実施形態によればアンテナ装置は電磁放射遮蔽のため所定の領域でスルーホールを有しており、この場合、スルーホールは互いに平行にかつ誘電性支持体の層平面に対し垂直に、たとえば２つのアース平面の間に配置されている。さらにスルーホールは有利には、遮蔽チャンバ形成のため遮蔽すべき放射の波長よりも短い間隔で互いに隔てられている。
【００２１】
別の有利な実施形態によれば、放射面は適切な発泡材料上に取り付けられている。
【００２２】
別の有利な実施形態によれば、放射面は装置ケーシングカバーに取り付けられている。これにより、上に放射面の取り付けられたカバーと支持体プレートというたった２つの部材から成るコンパクトなアンテナ装置が得られる。
【００２３】
別の有利な実施形態によればフィードラインはそれぞれ少なくとも１つの接触接続装置により、支持体表面に配置された給電回路網と電気的に接続されている。これにより支持体の層の間のフィードラインは、簡単に取り付け可能な１つの共通の給電回路網により制御される。とはいえ給電回路網を必ずしも表面に取り付けなくてもよい。
【００２４】
別の有利な実施形態によれば放射面、電位面、接続区間、スルーホールおよび接触接続装置は導電材料から成り、たとえば金、銀、銅またはアルミニウムから成る。
【００２５】
別の有利な実施形態によれば、接続区間および／または接触接続装置はマイクロストリップ技術および／またはコプレーナ技術によって形成されている。これにより遮蔽に有利な広い平面の電位面ないしはアース面を備えたコンパクトなセンサが得られる。
【００２６】
さらに別の有利な実施形態によれば、結合スロットを任意の形状とすることができる。
【００２７】
図面
図面には本発明の実施例が示されており、次にこれについて説明する。
【００２８】
図１は、本発明の１つの実施例による接続区間と結合スロットと送信装置および／または受信装置の配置構成を下から見た図である。
【００２９】
図２は、図１における配置構成の斜視図である。
【００３０】
図３は、本発明の第１の実施例によるアンテナ装置の横断面図である。
【００３１】
図４は、本発明の第２の実施例によるアンテナ装置の横断面図である。
【００３２】
図５は、本発明の１つの実施例によるアンテナ装置を上から見た図である。
【００３３】
図６は、本発明の１つの実施例によるアンテナ装置の出力ダイアグラムである。
【００３４】
実施例の説明
図中、同じ参照符号は同じコンポーネントまたは機能が同一のコンポーネントを表す。
【００３５】
図１および図２には、フィードラインの形式の電気接続区間７、結合スロットの形式の結合装置３、放射面（いわゆるパッチ）の形式の送受信装置２が示されている。この種の装置はスロット結合パッチアンテナと称する。
【００３６】
図１および図２には、誘電性支持体（基板）５およびアースされている第１および第２の電位面４，１０もしくはアース面４，１０は書き込まれていない。図示されている放射面２は、発泡材料上に取り付けられているかまたは有利には装置のケーシングカバーに取り付けられている（図示せず）。
【００３７】
図１および図２に基づき、スロット結合パッチアンテナの原理について簡単に説明する。フィードライン７に対し給電装置（図示せず）によって電磁エネルギーが供給される。フィードライン７は電磁エネルギーがフィードライン７から結合スロット３へ伝達されるよう、対応する結合スロット３の下方に設けられている。結合スロット３の上方に設けられている放射面２は結合スロット３から放射されたエネルギーを受容し、それにより適切な配置と寸法によって共振状態におかれる。このようにして放射面２は特定のＱでこのエネルギーを再び放射し、この配置構成によって周波数帯域内で精密に最適化可能な形状を得ることができる。
【００３８】
図３には、本発明の第１の実施例によるアンテナ装置の横断面図が示されている。放射面２は誘電性支持体５の上方で、たとえばケーシングカバー（図示せず）に固定的に取り付けられている。
【００３９】
支持体５は誘電性基板から成り、これは有利にはＬＴＣＣセラミック（Ｌｏｗ Ｔｅｍｐｅｒａｔｕｒｅ Ｃｏｆｉｅｒｅｄ Ｃｅｒａｍｉｃ）によって構成されている。このＬＴＣＣセラミックは高周波に適したガラスセラミックであり、多層技術で製造されている。したがってＧＨｚレンジのレーダを用いた自動車領域での距離測定および／または速度測定において使用するのに殊に適している。しかもセラミックは約１５０μｍの層厚をもつ複数の層として製造して複数の層を上下に積み重ねることができ、その際、支持体平面（ｘｙ平面）による幾何学的な変化を伴わずに構造全体を比較的低い温度ですでに最適に焼結させることができる。このようなガラスセラミックは高圧のもとでは支持体軸方向（ｚ方向）においてのみ収縮する。このため高精度に位置決め可能なコンパクトなシステムが得られる。
【００４０】
この装置はさらに第１のアース面４を有しており、これは放射面２と対向する誘電性支持体５の表面上に配置されている。この第１のアース面４において有利にはそれぞれ結合スロット３が、たとえば直角に形成された放射面２の下方において特定の間隔で配置されている。結合スロット３は有利には第１のアース面４のエッチングにより形成される。さらに結合スロット３は放射面２の下方中央でそれぞれ、図１に示されているようにほぼ放射面の幅にわたって延在している。結合スロット３は有利には、上方のアース面４がそれぞれ電磁放射の波長の約４分の１の間隔でそれぞれ中断されるように配置されている。したがって開放端部での波の反射によりそれが反射し、適正な位相で到来波と合成される。その結果、結合スロット３の下のフィードライン７のところで球面波が生じる。
【００４１】
結合スロット３の励起は電気フィードライン７によって行われ、これは本発明によればそれぞれ結合スロット３の下方に配置されており、その際、結合スロット３とフィードライン７との間には支持体５の誘電体層５１が配置されていて、これは約１５０μｍの厚さを有する。
【００４２】
フィードライン７は接触接続装置１３を介して、給電回路網１４すなわちアンテナ制御のためのアンテナセンサの高周波回路部と接続されている。多層技術によって、異なる平面においてもいっそう良好な絶縁のためにフィードライン７を導くことができ、これにより望ましくない結合効果が十分に排除される。誘電性支持体５の表面にフィードライン７を案内することによって、制御に必要なコンポーネントを放射の僅かな個所に配置することができる。
【００４３】
さらに本発明によるアンテナ装置は第２のアース面１０を有しており、これはフィードライン７の下方に配置されていて、この第２のアース面１０とフィードライン７との間には誘電性支持体５の複数の層５２，５３，５４が設けられており、それらは厚さ１５０μｍである。
【００４４】
フィードライン７が第２のアース面１０よりも結合スロット３つまり第１のアース面４の近くに配置されているこのような非対称なトリプレート配置構成によって、結合スロット３の方向でフィードライン７を励起したときにいっそう大きい電界強度が発生する。したがってエネルギーの大部分は結合スロット３を通って空気に出力結合され、その上に位置する放射面に伝達される。第２のアース面１０までの間隔が広くなっていることから、この方向では電界の発生が小さくなり、そのためこの方向ではエネルギーの僅かな部分しか放射されない。それゆえ結合スロット３もしくは放射面２の方向での有効放射すなわち電磁エネルギーの成分を増大させることができる。
【００４５】
図３に示されている本発明の第１の実施例の場合、結合スロット３とフィードライン７との間には厚さ約１５０μｍのセラミック層５１だけしか存在していないのに対し、フィードライン７と下方の第２のアース面１０との間にはそれぞれ厚さ約１５０μｍの３つの層５２，５３，５４が配置されている。とはいえ層の個数も個々の層の厚さも、要求される共振特性もしくは要求されるアンテナ特性に応じて変化させることができる。
【００４６】
たとえば図５に示されているように複数の放射面２と結合スロット３を相互に所定の間隔で一列に配置することによって、望ましい出力利得、開口角およびサイドローブの抑圧を要求に合わせて整合させることができる。
【００４７】
これに加えてアンテナ装置１は有利には連続的または局所的に貫通したスルーホール１２を有しており、これらのスルーホールは電磁放射遮蔽のため有利には特定の領域で互いに平行に誘電性支持体５のｚ方向で垂直に配置されている。
【００４８】
有利にはこれらのスルーホール１２は、遮蔽すべき放射の波長よりも小さい間隔をおいて互いに隔てられている。このようにして分離壁を組み込むことによって安価な電磁遮蔽を行うことができる。その理由は、望ましくない方向に伝播する放射（ｘｙ平面）はスルーホールにより形成されたチャンバゆえに害を及ぼす方向には伝播することができないからであり、これによってサイドローブが抑圧される。
【００４９】
しかもチャンバ構成を適切に選定することにより、浮遊するエネルギーを適正な位相で有効放射に加えることができる。たとえば波長の２０分の１から５分の１の高さで放射面２を配置することによって、有効周波数の１０％を超える帯域幅を発生させることができる。
【００５０】
アンテナ装置１の給電は既述のように非対称なトリプレート配置により行われる。フィードライン７は誘電性支持体５の個々の層の間に配置されており、たとえば第１の層５１と第２、第３、第４の層５２，５３，５４との間に配置されている。通常はコンポーネントは支持体５の外面に設けられているので、フィードライン７を接触接続装置１３によって支持体５の対応する表面に置くことができる。そこにおいて有利にはマイクロストライプ技術によって後続処理される。しかしながら遮蔽措置を支援するため、図５に示されているようにコプレーナ技術も利用できる。また、整合回路網および／または分配回路網１４を支持体５の内部に配置もしくは埋め込むようにしてもよい。
【００５１】
有利には放射面２、アース面４，１０、フィードライン７、スルーホール１２および接触接続装置１３を良好な導電性材料たとえば金、銀、銅またはアルミニウムから成る。
【００５２】
図４には、本発明の第２の実施例によるアンテナ装置の断面図が示されている。この実施例で説明しないコンポーネントあるいは機能は第１の実施例と類似しているとみなしてよく、したがって以下では説明不要である。
【００５３】
第１の実施例とは異なり図４に示されているように給電回路網１４は、支持体５において放射面２とは反対側の表面つまりは望ましい放射方向とは反対側に配置されている。結合スロット３および給電回路網１４は、支持体５においてそれぞれ反対側の表面に存在している。したがって僅かな所要スペースしか必要とされず設計上有利である一方、漂遊放射によりコンポーネントが妨害されることも少なくなる。
【００５４】
フィードライン７はやはり接触接続装置１３により、給電回路網１４の配置されている表面に案内される。したがって図４に示されているように、フィードライン７は支持体５の下面に向かって案内されることになる。
【００５５】
アンテナ装置はやはり、ＬＴＣＣセラミックにおける非対称のトリプレート線路として形成されている。さらにここでも相応のスルーホール１２によって、付加的な遮蔽のため遮蔽されたチャンバが形成される。
【００５６】
この第２の実施例の利点は殊にアンテナ装置の表面が小さくなることだが、それに付随して厚さが増大する。なぜならば望ましくない共振作用をさらに抑える目的で、第１の実施例とは異なり付加的な層５５が必要とされるからである。とはいうものの、付加的な層５５に起因して厚さが約１５０μｍ増大するだけで長さを約１〜２ｃｍ節約することができ、したがって実質的にコンパクトなアンテナ装置が得られるようになる。
【００５７】
このような面積節約型の構造のさらに別の利点は、アンテナは給電回路網１４のコンポーネントとは逆方向に放射することであり、そのためそれらのコンポーネントの動作が妨害されないことである。
【００５８】
しかも図４に示されているようにアンテナ面は面全体にわたり金属化されており、結合スロット３だけしか有していない。アンテナ面上にそれ以外の回路部分は存在せず、したがって非常に良好な遮蔽が達成される。
【００５９】
図５に示されているように相応のスルーホール１２を使用することにより、不所望な方向の電磁放射の遮蔽のためにチャンバを付加的に形成することができる。
【００６０】
図６には、本発明の第１の実施例によるアンテナ装置の整合もしくは反射減衰量のグラフが示されている。中心周波数が約２４Ｇｈｚであれば約２０ｄＢの整合および約３ＧＨｚの帯域幅が生じる。
【００６１】
このように本発明によればほとんど異ならない材料で構築されたコンパクトなセンサを得ることができ、このセンサはまえもって定められた周波数範囲において高いパフォーマンスをもち、いっそう精確な指向性を有しており、さらに所定の方向での不所望な放射を良好に抑圧することができる。非対称のトリプレート配置と共働して支持体の上面もしくは下面に広い面積の金属化アース面が設けられていることにより、強制的に電磁放射の大部分が結合スロットを介して放射面方向に出力結合されるようになる。さらにスルーホールによって付加的に、支持体平面（ｘｙ平面）における放射が阻止される。
【００６２】
これまで本発明について有利な実施例に基づき説明してきたが、本発明はそのような形態に限定されるものではなく、多種多様に変形可能である。
【００６３】
従来技術において知られている問題点はこれまで説明した配置および構造によって初めて、まったく現れなくなる。
【００６４】
シリコン、ガリウム砒素（ＧａＡｓ）、軟質繊維板もしくはソフトボード、ＦＲ４、多層セラミックなど他の基板技術も利用できる。同様に他の層厚、周波数範囲または材料も考えられる。
【図面の簡単な説明】
【図１】
本発明の１つの実施例による接続区間と結合スロットと送信装置および／または受信装置の配置構成を下から見た図である。
【図２】
図１における配置構成の斜視図である。
【図３】
本発明の第１の実施例によるアンテナ装置の横断面図である。
【図４】
本発明の第２の実施例によるアンテナ装置の横断面図である。
【図５】
本発明の１つの実施例によるアンテナ装置を上から見た図である。
【図６】
本発明の１つの実施例によるアンテナ装置の出力ダイアグラムである。
【図６】
2004516734.tif 000003
【国際公開パンフレット】
2004516734.tif 000004
2004516734.tif 000005
2004516734.tif 000006
2004516734.tif 000007
2004516734.tif 000008
2004516734.tif 000009
2004516734.tif 000010
2004516734.tif 000011
2004516734.tif 000012
2004516734.tif 000013
2004516734.tif 000014
2004516734.tif 000015
2004516734.tif 000016
2004516734.tif 000017
2004516734.tif 000018
2004516734.tif 000019
2004516734.tif 000020
2004516734.tif 000021
2004516734.tif 000022
2004516734.tif 000023
2004516734.tif 000024
2004516734.tif 000025
2004516734.tif 000026
2004516734.tif 000027
2004516734.tif 000028
2004516734.tif 000029
2004516734.tif 000030
2004516734.tif 000031
2004516734.tif 000032
2004516734.tif 000033
2004516734.tif 000034
【手続補正書】
【提出日】平成15年1月13日(2003.1.13)
【手続補正１】
【補正対象書類名】明細書
【補正対象項目名】請求項１
【補正方法】変更
【補正の内容】
【請求項１】
アンテナ装置（１）たとえば自動車間の距離または速度を求めるためのアンテナ装置において、
信号波を受信または送信する装置（２）と、
該信号波を受信または送信する装置（２）の下方に配置された多層の支持体（５）と、
該支持体（５）において前記信号波を受信または送信する装置（２）と対向する側の表面上に配置されアースされている第１の電位面（４）と、
該第１の電位面（４）内に配置された結合装置（３）と、
該第１の電位面（４）の下方でその近くに配置された電気接続区間（７）と、
該電気接続区間（７）の下方に配置されアースされている第２の電位面（１０）と、
前記受信または送信装置（２）の下方にまえもって定められた間隔で結合装置（３）が設けられており、
該結合装置（３）は結合スロットの形態で構成されていて、前記第１の電位面（４）が電磁波の波長の約４分の１の間隔でそれぞれ中断されるように配置されていることを特徴とするアンテナ装置。
【国際調査報告】
2004516734.tif 000035
2004516734.tif 000036
2004516734.tif 000037
2004516734.tif 000038
2004516734.tif 000039
2004516734.tif 000040